(57)【要約】      （修正有）【課題】動画の納品に係る作業負荷の軽減や、人為的なミスなどによる誤納品のリスクを低減することのできる、動画納品管理システムを提供する。【解決手段】動画納品管理システムは、納品管理サーバ１と、動画の納品元の担当者の利用する納品元端末と、動画の納品先の担当者の利用する複数の納品先端末と、がネットワークを介して通信可能に構成される。納品管理サーバ１は、１又は複数の動画を含む番組に関する情報を記憶する番組記憶部と、納品先に関する情報を、納品先に納品する番組に関する情報と紐づけて記憶する納品先情報記憶部と、動画に関する情報を記憶する動画記憶部と、納品先情報記憶部及び番組記憶部の保持する情報に基づいて、動画記憶部の保持する動画を納品先端末へと提供する納品処理手段と、を有する。【選択図】図２
2018018172.tif 000002
【特許請求の範囲】
【請求項１】
納品管理サーバと、動画の納品元の担当者の利用する納品元端末と、前記動画の納品先の担当者の利用する納品先端末と、がネットワークを介して通信可能に構成される、動画納品管理システムであって、
前記納品管理サーバが、１又は複数の前記動画を含む番組に関する情報を記憶する番組記憶部と、
前記納品先に関する情報を、前記納品先に納品する前記番組に関する情報と紐づけて記憶する納品先情報記憶部と、
前記動画に関する情報を記憶する動画記憶部と、
前記納品元端末の操作に基づいて、前記番組記憶部へ前記番組に関する情報を記録する番組情報管理手段と、
前記納品元端末の操作に基づいて、前記納品先情報記憶部へ前記納品先に関する情報を記録する納品先情報管理手段と、
前記納品元端末の操作に基づいて、前記動画記憶部へ前記動画に関する情報を記録する動画情報管理手段と、
前記納品先情報記憶部及び前記番組記憶部の保持する情報に基づいて、前記動画記憶部の保持する前記動画を前記納品先端末へと提供する納品処理手段と、を有することを特徴とする、動画納品管理システム。
【請求項２】
前記納品管理サーバが、前記納品元端末及び／又は前記納品先端末への、前記納品先端末による前記動画の取得状況を提供する納品状況管理手段を有することを特徴とする、請求項１に記載の動画納品管理システム。
【請求項３】
前記動画記憶部が、１の前記動画に対して、再生対象機器及び／又は再生画質の異なる複数形式の動画ファイルを含むことを特徴とする、請求項１から請求項２の何れかに記載の動画納品管理システム。
【請求項４】
前記納品管理サーバが、前記納品先へ送付する納品書を生成する納品書生成手段を有し、
前記納品処理手段が、前記納品書を前記納品先端末へ提供することを特徴とする、請求項１から請求項３の何れかに記載の動画納品管理システム。
【請求項５】
前記納品管理サーバが、前記番組に関する情報を含む番組メタファイル及び／又は前記動画に関する情報を含む動画メタファイルを生成するメタファイル生成手段を備え、
前記納品処理手段が、前記番組メタファイル及び／又は前記動画メタファイルを前記納品先端末へ提供することを特徴とする、請求項１から請求項４の何れかに記載の動画納品管理システム。
【請求項６】
前記動画に関する情報が、前記動画の前記納品先端末への提供期限情報を含むことを特徴とする、請求項１から請求項５の何れかに記載の動画納品管理システム。
【請求項７】
前記動画に関する情報が、前記納品先による前記動画の配信可能日を示す、配信可能日情報を含むことを特徴とする、請求項１から請求項６の何れかに記載の動画納品管理システム。
【請求項８】
動画の納品元の担当者の利用する納品元端末及び前記動画の納品先の担当者の利用する納品先端末と、ネットワークを介して通信可能に接続される、納品管理サーバであって、
１又は複数の前記動画を含む番組に関する情報を記憶する番組記憶部と、
前記納品先に関する情報を、前記納品先に納品する前記番組に関する情報と紐づけて記憶する納品先情報記憶部と、
前記動画に関する情報を記憶する動画記憶部と、
前記納品元端末の操作に基づいて、前記番組記憶部へ前記番組に関する情報を記録する番組情報管理手段と、
前記納品元端末の操作に基づいて、前記納品先情報記憶部へ前記納品先に関する情報を記録する納品先情報管理手段と、
前記納品元端末の操作に基づいて、前記動画記憶部へ前記動画に関する情報を記録する動画情報管理手段と、
前記納品先情報記憶部及び前記番組記憶部の保持する情報に基づいて、前記動画記憶部の保持する前記動画を前記納品先端末へと提供する納品処理手段と、を有することを特徴とする、納品管理サーバ。
【請求項９】
納品管理サーバと、動画の納品元の担当者の利用する納品元端末と、前記動画の納品先の担当者の利用する納品先端末と、がネットワークを介して通信可能に構成され、
前記納品管理サーバが、番組記憶部と、納品先情報記憶部と、動画記憶部と、番組情報管理手段と、納品先情報管理手段と、動画情報管理手段と、納品処理手段と、を有する動画納品管理システムによる動画の納品方法であって、
前記番組情報管理手段が、前記納品元端末の操作に基づいて、１又は複数の前記動画を含む番組に関する情報を前記番組記憶部へ記録するステップと、
前記納品先情報管理手段が、前記納品元端末の操作に基づいて、前記納品先に関する情報を、前記納品先に納品する前記番組に関する情報と紐づけて前記納品先情報記憶部へ記録するステップと、
前記動画情報管理手段が、前記納品元端末の操作に基づいて、前記動画に関する情報を前記動画記憶部へ記録するステップと、
前記納品処理手段が、前記納品先情報記憶部及び前記番組記憶部の保持する情報に基づいて、前記動画記憶部の保持する前記動画を前記納品先端末へと提供するステップと、を備えることを特徴とする、動画の納品方法。
【発明の詳細な説明】
【技術分野】
【０００１】
本発明は、電子データによる動画ファイルの納品を管理する、動画納品管理システムに関する。
【背景技術】
【０００２】
従来、テレビ番組やネット配信用動画の製作者から、テレビ局や動画配信サイトの提供者などの放送者への放送用動画の納品は、ＤＶＤ（Ｄｉｇｉｔａｌ  Ｖｅｒｓａｔｉｌｅ  Ｄｉｓｃ）やＢＤ（Ｂｌｕ−ｒａｙ（登録商標）  Ｄｉｓｃ）のような物理的な記録媒体を介して行われていた。
【０００３】
更に昨今では、インターネット回線の高速化などに伴い、インターネット回線を通じての動画の納品も行われるようになり、そのためのシステムなども考案されている。例えば、特許文献１には、広告動画データを放送局へとネットワークを介して納品する、放送局システムが記載されている。
【先行技術文献】
【特許文献】
【０００４】
【特許文献１】特開２０１２−１５６４６
【発明の概要】
【発明が解決しようとする課題】
【０００５】
特許文献１に記載されるようなシステムを用いれば、インターネット回線を通じた動画ファイルの納品を行うことができる。しかし、各動画ファイルの納品先とする放送局は、動画ファイルごとに個別に設定を行う必要がある。例えば、全１２話のシリーズものの動画ファイルを、１週間に１話ずつのペースで順次配信する、といった場合、各話の配信を行う際に、都度納品先の指定などを行う必要がある。
【０００６】
また、動画ファイルの納品は製作者から放送者へと直接行われるのみではなく、複数の製作者から提供された動画ファイルを、契約内容等に基づいて複数の納品先へと納品する、仲介者を介する場合も多い。
【０００７】
そのため、動画ファイルの納品時には、制作者、あるいは仲介者が、放送者ごとに納品する動画ファイルを取りまとめる必要があった。そのような煩雑な作業は、製作者や仲介者の負担になるのみでなく、誤納品が行われるリスクが高まってしまうという問題もある。
【０００８】
そこで、本発明では、動画の納品に係る作業負荷の軽減や、人為的なミスなどによる誤納品のリスクを低減することのできる、動画納品管理システムを提供することを課題とする。
【課題を解決するための手段】
【０００９】
上記課題を解決するために、本発明に係る動画納品管理システムは、
納品管理サーバと、動画の納品元の担当者の利用する納品元端末と、前記動画の納品先の担当者の利用する納品先端末と、がネットワークを介して通信可能に構成される、動画納品管理システムであって、
前記納品管理サーバが、１又は複数の前記動画を含む番組に関する情報を記憶する番組記憶部と、
前記納品先に関する情報を、前記納品先に納品する前記番組に関する情報と紐づけて記憶する納品先情報記憶部と、
前記動画に関する情報を記憶する動画記憶部と、
前記納品元端末の操作に基づいて、前記番組記憶部へ前記番組に関する情報を記録する番組情報管理手段と、
前記納品元端末の操作に基づいて、前記納品先情報記憶部へ前記納品先に関する情報を記録する納品先情報管理手段と、
前記納品元端末の操作に基づいて、前記動画記憶部へ前記動画に関する情報を記録する動画情報管理手段と、
前記納品先情報記憶部及び前記番組記憶部の保持する情報に基づいて、前記動画記憶部の保持する前記動画を前記納品先端末へと提供する納品処理手段と、を有することを特徴とする。
【００１０】
このように、納品先と、当該納品先へと納品する番組の情報とを紐づけておき、それに基づいて番組に含まれる動画の納品を行う構成とすることによって、番組に各話の動画の追加を行った際にも、簡単に、かつ誤りなく動画の納品を行うことができる。
【００１１】
本発明の好ましい形態では、前記納品管理サーバが、前記納品元端末及び／又は前記納品先端末への、前記納品先端末による前記動画の取得状況を提供する納品状況管理手段を有することを特徴とする。
このように、納品物が実際に納品先に受領されたか否かを確認可能な構成とすることにより、納品を確実に行うことができる。
【００１２】
本発明の好ましい形態では、前記動画記憶部が、１の前記動画に対して、再生対象機器及び／又は再生画質の異なる複数形式の動画ファイルを含むことを特徴とする。
このように、１の動画に複数形式の動画ファイルを設定可能な構成とすることにより、パーソナルコンピュータ用とスマートフォン端末用、といった再生機器ごとに最適化された動画ファイルの提供や、高速回線向けの高画質・大容量な動画ファイルと、低速回線向けの標準的な画質の動画ファイルと、の提供など、様々な環境に最適化された動画ファイルを提供することができる。
【００１３】
本発明の好ましい形態では、前記納品管理サーバが、前記納品先へ送付する納品書を生成する納品書生成手段を有し、
前記納品処理手段が、前記納品書を前記納品先端末へ提供することを特徴とする。
このように、納品書の生成、提供を行うことで、納品時における納品元の担当者の負担を更に軽減することができる。
【００１４】
本発明の好ましい形態では、前記納品管理サーバが、前記番組に関する情報を含む番組メタファイル及び／又は前記動画に関する情報を含む動画メタファイルを生成するメタファイル生成手段を備え、
前記納品処理手段が、前記番組メタファイル及び／又は前記動画メタファイルを前記納品先端末へ提供することを特徴とする。
このように、番組メタファイル及び／又は動画メタファイルを提供することによって、納品先の担当者は納品された番組や動画の情報を正しく把握することができる。
【００１５】
本発明の好ましい形態では、前記動画に関する情報が、前記動画の前記納品先端末への提供期限情報を含むことを特徴とする。
これにより、提供期限後の動画を削除するなどして、動画情報記憶部の情報量を削減することができる。
【００１６】
本発明の好ましい形態では、前記動画に関する情報が、前記納品先による前記動画の配信可能日を示す、配信可能日情報を含むことを特徴とする。
これにより、契約条件等に基づいた動画の配信日の制約を課すことができる。
【００１７】
本発明に係る納品管理サーバは、
動画の納品元の担当者の利用する納品元端末及び前記動画の納品先の担当者の利用する納品先端末と、ネットワークを介して通信可能に接続される、納品管理サーバであって、
１又は複数の前記動画を含む番組に関する情報を記憶する番組記憶部と、
前記納品先に関する情報を、前記納品先に納品する前記番組に関する情報と紐づけて記憶する納品先情報記憶部と、
前記動画に関する情報を記憶する動画記憶部と、
前記納品元端末の操作に基づいて、前記番組記憶部へ前記番組に関する情報を記録する番組情報管理手段と、
前記納品元端末の操作に基づいて、前記納品先情報記憶部へ前記納品先に関する情報を記録する納品先情報管理手段と、
前記納品元端末の操作に基づいて、前記動画記憶部へ前記動画に関する情報を記録する動画情報管理手段と、
前記納品先情報記憶部及び前記番組記憶部の保持する情報に基づいて、前記動画記憶部の保持する前記動画を前記納品先端末へと提供する納品処理手段と、を有することを特徴とする。
【００１８】
本発明に係る動画の納品方法は、
納品管理サーバと、動画の納品元の担当者の利用する納品元端末と、前記動画の納品先の担当者の利用する納品先端末と、がネットワークを介して通信可能に構成され、
前記納品管理サーバが、番組記憶部と、納品先情報記憶部と、動画記憶部と、番組情報管理手段と、納品先情報管理手段と、動画情報管理手段と、納品処理手段と、を有する動画納品管理システムによる動画の納品方法であって、
前記番組情報管理手段が、前記納品元端末の操作に基づいて、１又は複数の前記動画を含む番組に関する情報を前記番組記憶部へ記録するステップと、
前記納品先情報管理手段が、前記納品元端末の操作に基づいて、前記納品先に関する情報を、前記納品先に納品する前記番組に関する情報と紐づけて前記納品先情報記憶部へ記録するステップと、
前記動画情報管理手段が、前記納品元端末の操作に基づいて、前記動画に関する情報を前記動画記憶部へ記録するステップと、
前記納品処理手段が、前記納品先情報記憶部及び前記番組記憶部の保持する情報に基づいて、前記動画記憶部の保持する前記動画を前記納品先端末へと提供するステップと、を備えることを特徴とする。
【発明の効果】
【００１９】
動画の納品に掛かる納品元及び納品先の負担を軽減し、また、誤納品を防ぐことのできる動画納品管理システムを提供することができる。
【図面の簡単な説明】
【００２０】
【図１】本発明の一実施形態に係る動画納品管理システムの構成図である。
【図２】本発明の一実施形態に係る納品管理サーバの機能ブロック図である。
【図３】本発明の一実施形態における納品処理の流れを示すフローチャートである。
【図４】本発明の一実施形態における番組一覧画面の例を示す図である。
【図５】本発明の一実施形態における番組新規登録画面の例を示す図である。
【図６】本発明の一実施形態における番組登録確認の例を示す図である。
【図７】本発明の一実施形態における納品先一覧画面の例を示す図である。
【図８】本発明の一実施形態における納品先新規登録画面の例を示す図である。
【図９】本発明の一実施形態における納品先登録確認画面の例を示す図である。
【図１０】本発明の一実施形態における動画一覧画面の例を示す図である。
【図１１】本発明の一実施形態における動画新規登録画面の例を示す図である。
【図１２】本発明の一実施形態における動画登録確認画面の例を示す図である。
【図１３】本発明の一実施形態における動画納品確認画面の例を示す図である。
【図１４】本発明の一実施形態における納品元端末に提供される番組納品状況確認画面の例を示す図である。
【図１５】本発明の一実施形態における納品元端末に提供される動画納品状況確認画面の例を示す図である。
【図１６】本発明の一実施形態における納品先端末に提供される番組納品状況確認画面の例を示す図である。
【図１７】本発明の一実施形態における納品先端末に提供される動画納品状況確認画面の例を示す図である。
【発明を実施するための形態】
【００２１】
以下、本発明の一実施形態について、図面を参照して詳細に説明する。図１は、本発明の一実施形態に係る動画納品管理システムの構成図である。ここに示すように、本実施形態に係る動画納品管理システムは、納品管理サーバ１と、動画の納品元の担当者が利用する納品元端末２と、動画の納品先の担当者が利用する３１から３ｎまでの複数の納品先端末３と、がネットワークＮＷを介して通信可能に構成されている。
【００２２】
本実施形態に係る動画納品管理システムは、１又は複数の動画を含む番組を、それぞれの番組ごとの契約条件などに従って、複数の納品先へと納品するものである。より具体的には、１の動画で提供される映画や、複数話で構成されるテレビ番組などが例として挙げられる。
【００２３】
なお、ここでの「動画」とは、単なる動画ファイルのみを指すものではなく、後に詳細に説明するように、関連する情報や、動画ファイルのサムネイル画像など、動画ファイルに付随する種々の情報を含む、情報の集合を指すものである。
【００２４】
図２は、納品管理サーバ１の機能ブロック図である。ここに示すように、納品管理サーバ１は、番組に関する情報を保持する番組記憶部１０８と、番組記憶部１０８の保持する情報の管理を行う番組管理手段１０１と、番組に含まれる動画に関する情報を保持する動画記憶部１０９と、動画記憶部１０９の保持する情報の管理を行う動画管理手段１０２と、納品先端末３を利用する納品先に関する情報を保持する納品先情報記憶部１１０と、納品先情報記憶部１１０の保持する情報の管理を行う納品先管理手段１０３と、番組記憶部１０８の保持する番組や動画記憶部１０９の保持する動画の納品先端末３への納品処理を行う納品処理手段１０４と、納品処理手段１０４による納品状況の管理を行う納品状況管理手段１０５と、を備える。また、納品処理手段１０４による番組や動画の納品に際して納品先端末３へと送信する納品書を生成する納品書生成手段１０６とそれを記憶する納品書記憶部１１１、納品処理手段１０４による番組の納品に際して共に納品する番組情報を含む番組メタファイル、及び、動画の納品に際して共に納品する動画情報を含む動画メタファイルの生成を行うメタファイル生成手段１０７を備える。
【００２５】
番組記憶部１０８は、番組名や、その番組の納品先などの情報を保持する番組情報記憶部１０８１と、番組のタイトル画像を保持する番組タイトル画像記憶部１０８２と、先述した番組メタファイルを保持する番組メタファイル記憶部１０８３と、を有する。
【００２６】
動画記憶部１０９は、動画が含まれる番組名や、番組内における話数などの情報を保持する動画情報記憶部１０９１と、動画ファイルを保持する動画ファイル記憶部１０９２と、動画のサムネイル画像を保持する動画サムネイル画像記憶部１０９３と、先述した動画メタファイルを保持する動画メタファイル記憶部１０９４と、を有する。
【００２７】
なお、納品管理サーバ１には、ＣＰＵ（Ｃｅｎｔｒａｌ  Ｐｒｏｃｅｓｓｉｎｇ  Ｕｎｉｔ）等の演算装置、ＲＡＭ（Ｒａｎｄａｍ  Ａｃｃｅｓｓ  Ｍｅｍｏｒｙ）等の主記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、ネットワークＮＷへの接続手段を含む各種の入出力装置等を備えた、汎用的なサーバ装置を用いることができる。より詳細には、サーバ装置の補助記憶装置に上述したような各手段を実現するためのプログラムの配置や、各記憶部として利用するための領域の確保を行い、そのプログラムを主記憶装置上に展開して、演算装置による処理を行うことで、サーバ装置を納品管理サーバ１として動作させることができる。
【００２８】
また、納品元端末２や納品先端末３としては、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、汎用的なコンピュータ装置を用いることができる。ここで、納品元端末２及び納品先端末３は、ウェブブラウザソフトウェアを備えていることが好ましい。
【００２９】
本実施形態においては、納品管理サーバ１より各手段がウェブアプリケーションの形で提供され、納品元端末２及び納品先端末３がウェブブラウザソフトウェアによってそれらを利用する例を示すが、本発明はこれに限るものではない。例えば、納品元端末２及び納品先端末３を、本実施形態に係る動画納品管理システムを利用するための専用のクライアントプログラムが動作するように構成し、納品管理サーバ１において、それらのクライアントプログラムからの接続を受け付けるサーバプログラムを動作させる、といったような構成としてもよい。
【００３０】
図３は、本実施形態に係る動画納品管理システムによる、番組の登録から動画の納品までの流れを示すフローチャートである。なお、これらの処理は、納品元の担当者による納品元端末２の操作に基づいて、納品管理サーバ１上で各処理が行われるものである。
【００３１】
まず、ステップＳ１０１において、番組記憶部１０８に登録済みの番組の配信を行うか否かの選択を受け付ける。これは、例えば、図４に例示するような番組一覧画面を納品元端末２へと提供し、登録済みの番組から、納品を行う番組の選択、あるいは番組を新規に登録する指示を受け付ける、といった方法で行えばよい。ここで、番組の新規登録を行う旨の指示を受けた場合には、ステップＳ１０２の番組登録処理へと進む。
【００３２】
図５に、番組の新規登録画面の一例を示す。番組の新規登録を受け付ける際には、ここに示すように、番組の提供元を示す提供元コードと提供元名、番組を識別するための番組コードと番組名、番組の紹介文や出演者、備考などの番組に付随する種々の情報の入力、納品先へと提供する番組のタイトル画像の指定等を受け付ければよい。なお、ここで、番組のタイトル画像として、複数のファイルの指定が可能な構成とすることが好ましい。例えば、ＪＰＥＧ形式やＰＮＧ形式といったビットマップ画像ファイルや、ＤＴＰ（ＤｅｓｋＴｏｐ  Ｐｕｂｌｉｓｈｉｎｇ）ソフトウェアで取り扱うファイルなど、複数の番組タイトル画像を予め設定しておくことにより、納品先の担当者は、用途に応じた番組タイトル画像の提供を受けることができる。
【００３３】
納品元の担当者による番組に関する情報の入力を受けた後には、図６に例示するような入力内容の確認画面を表示した後、番組の新規登録を確定し、番組記憶部１０８へと記録する。
【００３４】
ステップＳ１０１における登録済みの番組の選択、あるいはステップＳ１０２における番組の新規登録処理が完了した後には、ステップＳ１０３に進み、納品先の選択を受け付ける。
【００３５】
これは例えば、図７に例示するような画面によって納品先情報記憶部１１０の保持する納品先情報を納品元の担当者へと提示し、納品先の選択、あるいは納品先の新規登録の指示を受け付ければよい。
【００３６】
ステップＳ１０３で納品先の新規登録の指示を受け付けた場合には、ステップＳ１０４に進み、納品先の新規登録処理を行う。ここでは、例えば、図８に示すような画面により、納品元端末２による納品先に関する情報の入力を受け付ければよい。納品先に関する情報としては、納品先を識別するための納品先コードと会社名、郵便番号、住所、電話番号といった連絡先情報、納品先の担当者の氏名、部署、メールアドレス、納品先端末３を用いて動画納品管理システムを利用する際のログインに用いるパスワード等の入力を受け付ける。また、ここで、複数の担当者が存在する場合には、そのそれぞれについて、氏名やメールアドレス、パスワードなどの入力を受け付ける。
【００３７】
そして、納品先の情報の入力を受け付ける際には、その納品先へと提供する番組の指定を受け付ける。更に、各番組について、番組に含まれる動画を納品先端末３によるダウンロードが可能な期間の指定を受け付ける。ここでは例えば、動画の納品日からの日数などによって、ダウンロード期間の指定を受け付ければよい。また、納品される動画の、納品先からの配信が可能な期間の指定も受け付ける。これは例えば、後に説明するように各動画に設定される放送日から、何日遅れで配信可能、といったような形で指定を受け付ければよい。なお、ここでの放送日とは、テレビ放送やインターネットを通じての所定時刻におけるストリーミング配信に用いられる番組であれば、その初回の放送日を指定すればよいし、そういった所定時刻における放送が行われない番組であれば、番組の提供元が定めた任意の日付などが設定されるものである。
【００３８】
以上のようにして、配信先の情報、及びその配信先へと配信する番組の指定と配信期間などの指定を受けた後には、図９に示すような入力内容の確認画面を表示し、納品先情報の確定の指示を受けると、納品先情報記憶部１１０へと記録する。
【００３９】
また、ステップＳ１０３において、既に登録済みの配信先について、配信する番組の追加や削除、配信条件の変更などを行う指示を受けた場合には、ステップＳ１０５に進み、納品先情報の編集を受け付ける。ここでは、図８に例示した納品先の新規登録画面と同様の画面、あるいは、納品する番組の指定やその配信条件の指定のみを編集可能な画面など、任意の画面によって納品先情報の編集を受け付ければよい。
【００４０】
そして、ステップＳ１０６で、動画の登録を受け付ける。ここでは、例えば、図１１に示すような画面により、納品元端末２からの動画に関する情報の入力を受け付ければよい。ここで入力を受け付ける項目としては、動画の提供元を識別する提供元コードと提供元名、動画が含まれる番組を識別する番組コードと番組名、番組中における話数、再生時間、放送日、動画のサブタイトルや番組内容、ジャンル、出演者、といった動画の内容に関する付加的な情報などが挙げられる。また、動画がパーソナルコンピュータやスマートフォンなど、特定の再生装置への提供に向けたものである場合には、その種別を示す情報の入力を受けることが好ましい。
【００４１】
また、ここで、先述したような動画に関する情報の入力を受け付けるとともに、実際の動画ファイルの指定、及び動画のサムネイル画像ファイルの指定を受け付ける。ここでの動画ファイル、動画のサムネイル画像ファイルについても、先に説明した番組タイトル画像の指定と同様、複数のファイルを指定可能に構成することが好ましい。これにより、納品先からの配信においてターゲットとするユーザ／端末ごとに、最適な形式の動画ファイルを提供する、といった利用が可能となる。より具体的な例を挙げれば、ユーザが自宅において光回線によって動画をダウンロードし、大画面テレビで視聴を行う、といった用途に向けて、高画質、大容量の動画ファイルを提供するとともに、ユーザが外出先において、３Ｇや４Ｇなどの回線を用いてスマートフォン端末に動画をダウンロードし、視聴する、といった用途に向けて、画質は低いが、ファイルサイズが小さい動画ファイルを提供する、といった利用が考えられる。
【００４２】
以上のような動画に関する情報の入力やファイルの指定を受けた後、図１２に示すような画面により、入力された情報の確認を促す。ここでは、先に入力を受けた動画が含まれる番組の情報から、納品先情報記憶部１１０を参照して動画の納品先を抽出し、配信条件とともに表示することが好ましい。
【００４３】
ここで、入力内容に問題がなく、動画の配信を行うことが選択されると、動画に関する情報を動画記憶部１０９へと記録するとともに、メタファイル生成手段１０７による動画メタファイルの生成、及び納品先情報記憶部１１０による納品書の生成処理が行われ、図１３に例示するような画面によって、納品元端末２を利用する納品元の担当者へと、動画メタファイルと納品書の確認を促す。ここで、動画の納品先が複数存在する場合には、そのそれぞれについての納品書を生成することが好ましい。そして、納品元端末２より納品の指示を受信すると、納品状況管理手段１０５は、電子メールなどの任意の手段によって納品先端末３への納品の通知と納品書の送付を行い、動画を納品先端末３によってダウンロード可能な状態とする。
【００４４】
このようにして登録された動画は、図１０に例示するような一覧画面などにより、納品元端末２より確認可能な状態となる。
【００４５】
なお、番組に含まれる１つめの動画を納品する際には、番組の納品、すなわち、メタファイル生成手段１０７による番組メタファイルの生成を行い、番組メタファイルや番組タイトル画像を納品先端末３によってダウンロード可能な状態とする処理を、動画の納品とともに行うことが好ましい。あるいは、動画の登録前に予め番組の納品のみを行うなど、動画の納品とは別のタイミングで番組の納品を行うことができるような構成としてもよい。
【００４６】
以上のような処理によって、納品元端末２による納品管理サーバ１への番組、納品先、動画の登録と納品が行われる。なお、ここでは説明の簡単のために、番組の登録、納品先の登録、動画の登録等を順次行う場合の処理の流れを説明したが、本実施形態に係る動画納品管理システムの利用はこれに限るものではない。例えば、番組と、それに含まれる１又は複数の動画の登録が既に完了している状態において、納品先情報の編集により、納品先へとその番組に含まれる動画の一部又は全部の納品を行うこともできる。
【００４７】
納品処理手段１０４による納品処理を行った後には、納品状況管理手段１０５による納品状況の管理を行う。図１４は、納品状況管理手段１０５によって納品元端末２へと提供される、番組の納品状況の管理画面の一例を示す図である。ここでは、各納品先に納品した各番組について、それぞれの納品先の納品先端末３より、番組メタファイルのダウンロードが行われたか否か、また、番組タイトル画像のダウンロードが行われたか否か、といった内容の確認を行うことができる。
【００４８】
図１５は、納品元端末２による動画の納品状況の管理画面の一例を示す図である。ここでは、各納品先に納品した各動画について、それぞれの納品先の納品先端末３より、動画メタファイルのダウンロードが行われたか否か、動画ファイルのダウンロードが行われたか否か、また、サムネイル画像ダウンロードが行われたか否か、といった内容の確認を行うことができる。
【００４９】
このように、番組や動画の納品状況を納品元端末２より確認可能な構成とすることにより、納品元の担当者は、納品先への納品が確実に行われているかを確認することができる。
【００５０】
図１６は、納品先端末３に提供される、納品先の担当者向けの、番組の納品状況の確認画面の一例を示すものである。ここでは、納品を受けた番組の一覧が、番組メタファイルや番組タイトル画像のダウンロード状況とともに表示される。ここから、納品先の担当者は、選択した番組に関連する全ての番組メタファイルや番組タイトル画像、あるいは、個別に指定した番組メタファイルや番組タイトル画像のダウンロードを行うことができる。
【００５１】
図１７は、納品先端末３に提供される、納品先の担当者向けの、動画の納品状況の確認画面の一例を示すものである。ここでは、納品を受けた動画の一覧が、動画メタファイルや動画ファイル、サムネイル画像のダウンロード状況、ダウンロード期限などとともに表示される。ここから、納品先の担当者は、選択した動画に関連する全ての動画メタファイルや動画ファイル、サムネイル画像、あるいは、個別に指定した動画メタファイルや動画ファイル、サムネイル画像のダウンロードを行うことができる。
【００５２】
このように、納品先の担当者は納品先端末３を用いて納品を受けた番組や動画の一覧の確認を行い、未ダウンロードの納品物を確認することで、納品物の受け取りの漏れを防ぐことができる。
【００５３】
以上のように、本実施形態に係る動画納品管理システムを用い、番組を納品先と紐づけて管理することにより、それぞれの番組に含まれる複数の動画を、簡単かつ確実に納品することができる。また、納品元端末２及び納品先端末３の双方から納品先端末３による納品物のダウンロード状況を確認可能な構成とすることによって、納品元と納品先とが納品状況を確実に確認し、納品の漏れなどを防ぐことができる。
【符号の説明】
【００５４】
１  納品管理サーバ
１０１  番組管理手段
１０２  動画管理手段
１０３  納品先管理手段
１０４  納品処理手段
１０５  納品状況管理手段
１０６  納品書生成手段
１０７  メタファイル生成手段
１０８  番組記憶部
１０８１  番組情報記憶部
１０８２  番組タイトル画像記憶部
１０８３  番組メタファイル記憶部
１０９  動画記憶部
１０９１  動画情報記憶部
１０９２  動画ファイル記憶部
１０９３  動画サムネイル画像記憶部
１０９４  動画メタファイル記憶部
１１０  納品先情報記憶部
１１１  納品書記憶部
２  納品元端末
３  納品先端末
ＮＷ  ネットワーク
【図１】
2018018172.tif 000003
【図２】
2018018172.tif 000004
【図３】
2018018172.tif 000005
【図４】
2018018172.tif 000006
【図５】
2018018172.tif 000007
【図６】
2018018172.tif 000008
【図７】
2018018172.tif 000009
【図８】
2018018172.tif 000010
【図９】
2018018172.tif 000011
【図１０】
2018018172.tif 000012
【図１１】
2018018172.tif 000013
【図１２】
2018018172.tif 000014
【図１３】
2018018172.tif 000015
【図１４】
2018018172.tif 000016
【図１５】
2018018172.tif 000017
【図１６】
2018018172.tif 000018
【図１７】
2018018172.tif 000019